(57)【特許請求の範囲】
【請求項１】
複数の電子機器の個別的接続からなる前記電子機器の複数個の所定の接続状態の中から選択された前記電子機器の接続状態、および、選択された前記電子機器の接続状態を構成する前記電子機器の個別的接続が、実際に用いられる前記電子機器の接続状態の補正に応じて少なくとも１つ選択または除外されて構成される前記電子機器の接続状態を記憶する第１の記憶手段と、
前記電子機器の接続状態を表示する表示手段と、
前記表示手段に表示する前記電子機器並びに前記電子機器の接続状態に関する画像を記憶する第２の記憶手段と、
前記第１の記憶手段に記憶されている前記電子機器の接続状態に対応して、前記第２の記憶手段に記憶されている画像を指定する表示情報を発生する発生手段と
を備えることを特徴とする表示制御装置。
【発明の詳細な説明】
【０００１】
【産業上の利用分野】
本発明は、例えばビデオテープレコーダやレーザディスクプレーヤなどより再生される画像または音声を出力するテレビジョン受像機、あるいはＡＶシステムなどに用いて好適な表示制御装置に関する。
【０００２】
【従来の技術】
従来のＡＶシステムにおいては、例えばテレビジョン受像機に接続されているアンテナにより受信された電波を、その内蔵するチューナによりチューニングし、即ち目的の周波数帯（チャンネル）を選択し、これを復調して画像信号および音声信号を取り出し、ＣＲＴおよびスピーカより出力する。また、テレビジョン受像機に、ビデオテープレコーダ（ＶＴＲ）やレーザディスクプレーヤ（ＬＤＰ）などを接続し、必要に応じてＶＴＲまたはＬＤＰにより再生される画像および音声を選択することにより、ＣＲＴおよびスピーカから出力することができるようになっている。
【０００３】
さらに、このようなＡＶシステムにおいては、スピーカより出力される音声の音量が調整される（音量を変化させるように操作が行われる）と、図４３に示すように、ＣＲＴの画面３１の下部に設けられたメッセージ表示領域３２に、スピーカより出力される音声の大きさ（音量）を表すメッセージ（表示）として、例えば音量に対応した長さの棒グラフが表示される。また、テレビジョン受像機に接続されているＶＴＲによりチューナから出力される番組（画像信号および音声信号）を記録する場合、例えばＶＴＲにテープが装着されていなかったり、記録中にテープが終了してしまったときに、警告を表すメッセージとしての文字列「テープが装着されていません。」や「テープが終了しました。」がＣＲＴの画面３１の下部に設けられたメッセージ表示領域３２に表示される。
【０００４】
また、従来のＡＶシステムにおいては、ＶＴＲ、ＬＤＰなどの電子機器を１つのＡＶセンタで集中的に制御することができるようになされている。これにより、複数の機器を有機的に結合して使用することができるようになっている。例えば、ＬＤＰによりビデオディスクを再生し、その再生信号をＶＴＲに供給して、ビデオテープにビデオディスクから再生した映像信号を記録することが可能である。この記録動作は、ＡＶセンタにおいて集中的に指令することができる。
【０００５】
このように、ＡＶセンタを介してＬＤＰやＶＴＲを制御して、ＬＤＰより再生された信号をＶＴＲで記録するような動作を実行している場合、ＬＤＰやＶＴＲを個別に操作すると、ＡＶセンタで指令した命令が途中で解除されてしまうことになる。そこで、ＡＶセンタを介して所定の指令を実行中である場合、その機器は、各機器に装着されているボタンやスイッチを操作して、個別に指令を入力することが禁止された状態となる。
【０００６】
【発明が解決しようとする課題】
上述のように、従来のＡＶシステムでは、テレビジョン受像機に内蔵されているチューナやテレビジョン受像機に接続したＶＴＲなどより出力されるメッセージが、画面３１の下部に設けられたメッセージ表示領域３２に表示される。従って、例えばスピーカの音量を調整する操作を行っている最中に、記録中のＶＴＲのテープが終了した場合、音量を表すメッセージ（表示）と警告を表すメッセージとが、同時にメッセージ表示領域３２に表示されるので、表示が見にくくなる課題があった。
【０００７】
さらに、テレビジョン受像機に、複数の例えばＶＴＲなどの同じ装置が接続されていた場合、表示されているメッセージが、どのＶＴＲに対するものか（どのＶＴＲからメッセージが出力されているのか）、区別することができなかった。
【０００８】
また、従来のＡＶシステムにおいては、使用者がＡＶセンタを介して各電子機器を制御し、所定の動作をさせている最中に、そのように動作を指令したことを忘れてしまい、各電子機器を個別に操作してしまうおそれがあった。このようなとき、各電子機器は個別に操作することが禁止された状態となっているため、個別操作に対応した動作を開始しないことになる。その結果、使用者は、装置が故障しているものと誤認するおそれがあった。
【０００９】
このことは、使用者が複数いるような場合において、ＡＶセンタを介して動作の指令を行なった使用者が席を外しているときに、他の使用者が電子機器を個別に操作しようとするときも同様であった。
【００１０】
また、従来のＡＶシステムにおいて、テレビジョン受像機のＣＲＴに文字列を表示するには、図４４に示されているように、フォントテーブルの選択を行うためのフォントテーブル選択コードに続いてテキストデータをＡＶバスを介して送信しているが、テキストデータは、１データ（１バイト）で１文字を指定するか、２データ（２バイト）で１文字を指定している（漢字の場合等）ため、文字列が長くなると、それだけＡＶバスのデータ伝送量が多くなり、バスが輻輳するおそれがある。
【００１１】
さらにまた、従来のＡＶシステムにおいては、ＡＶシステムを構成する複数の電子機器を変更した場合、その変更に対応して、ＡＶシステムを制御するプログラムを最初から作り直さなければならず、コスト高となる課題があった。
【００１２】
本発明の第１の目的は、メッセージの表示を見やすくするだけでなく、そのメッセージを出力している装置を容易に区別することができるようにすることにある。
【００１３】
本発明の第２の目的は、使用者が装置を故障と誤認するような恐れを少なくすることにある。
【００１４】
本発明の第３の目的は、少ないデータ伝送量で文字列を表示できる表示制御装置を提供することにある。
【００１５】
本発明の第４の目的は、ＡＶシステムを構成する電子機器の構成を変更した場合においても、各電子機器を制御するプログラムの変更を少なくすることができるようにすることにある。
【００１９】
【課題を解決するための手段】
本発明の表示制御装置は、複数の電子機器の個別的接続からなる電子機器の複数個の所定の接続状態の中から選択された電子機器の接続状態、および、選択された電子機器の接続状態を構成する電子機器の個別的接続が、実際に用いられる電子機器の接続状態の補正に応じて少なくとも１つ選択または除外されて構成される電子機器の接続状態を記憶する第１の記憶手段（例えば図２１のＮＶＲＡＭ２７４）と、電子機器の接続状態を表示する表示手段（例えば図２１のＣＲＴ２２４）と、表示手段に表示する電子機器並びに電子機器の接続状態に関する画像を記憶する第２の記憶手段（例えば図２１のＲＯＭ２４２）と、第１の記憶手段に記憶されている電子機器の接続状態に対応して、第２の記憶手段に記憶されている画像を指定する表示情報を発生する発生手段（例えば図２１のＣＰＵ２７１）とを備えることを特徴とする。
【００３０】
【作用】
本発明の表示制御装置においては、複数の電子機器の個別的接続からなる電子機器の複数個の所定の接続状態の中から選択された電子機器の接続状態、および、選択された電子機器の接続状態を構成する電子機器の個別的接続が、実際に用いられる電子機器の接続状態の補正に応じて少なくとも１つ選択または除外されて構成される電子機器の接続状態が第１の記憶手段に記憶され、第１の記憶手段に記憶されている電子機器の接続状態に対応して、第２の記憶手段に記憶されている画像を指定する表示情報が発生される。従って、システムを変更した場合においても、変更を要する箇所が少なくて済む。
【００３１】
【実施例】
図１は、本発明の表示制御装置を応用したビデオシステム（ＡＶシステム）の一実施例の構成を示すブロック図である。リモコン２は、テレビジョン受像機すなわちＡＶセンタ１の電源をオン／オフする電源スイッチ、チャンネルを選択するチャンネルボタン、スピーカ（図示せず）より出力される音声を調整するボリューム調整スイッチ、チューナ７より出力される画像信号および音声信号、外部入力端子に入力されるビデオテープレコーダ（ＶＴＲ）１２，１３またはレーザディスクプレーヤ（ＬＤＰ）１４の画像信号および音声信号のうち、ＣＲＴ１０およびスピーカに供給する画像信号および音声信号を選択する選択スイッチなどとともに、外部入力端子に接続された装置（図１においては、ＶＴＲ１２，１３およびＬＤＰ１４）を制御するための制御スイッチを有し、操作されたスイッチ（ボタン）に対応する光を、内蔵する発光素子より発光する。受光部３は、リモコン２より照射された光を電気信号に変換してＣＰＵ５に供給する。操作部４は、リモコン２と同等のスイッチ（ボタン）を有し、テレビジョン受像機１の電源をオン／オフしたり、チャンネルを選択したりするときや、外部入力端子に接続された装置を制御するときなどに操作される。
【００３２】
ＣＰＵ５は、リモコン２または操作部４が操作されたときの他、必要に応じてボリューム６、チューナ７、切換部８、制御部９、およびメッセージ表示回路１１を制御する。ボリューム６は、ＣＰＵ５に制御され、リモコン２または操作部４のボリューム調整スイッチが操作されたときに、スピーカより出力される音声（音量）を調整する。チューナ７は、アンテナ（図示せず）より供給された電波をチューニングし、即ち、アンテナより供給された電波から目的の周波数帯（チャンネル）を選択して、画像信号および音声信号を取り出し、切換部８に供給する。
【００３３】
制御部９は、ＶＴＲ１２，１３およびＬＤＰ１４とシリアルに接続されており、リモコン２または操作部４の操作に対応して、ＶＴＲ１２，１３およびＬＤＰ１４の電源のオン／オフ、画像および音声の再生などの動作を制御する。
【００３４】
切換部８は、ＣＰＵ５に制御され、チューナ７より出力される画像信号および音声信号、外部入力端子に入力されるＶＴＲ１２，１３またはＬＤＰ１４の画像信号および音声信号のうちの１つを選択し、画像信号はＣＲＴ１０に、音声信号はボリューム６を介してスピーカに供給する。
【００３５】
メッセージ表示回路１１は、ＣＰＵ５に制御され、チューナ７、ＶＴＲ１２，１３およびＬＤＰ１４にそれぞれ内蔵されているメモリ７ａ、メモリ１２ａ，１３ａおよびメモリ１４ａに記憶されているメッセージを、ＣＲＴ１０の画面２１のメッセージ表示領域２２乃至２５（図２）に表示させることのできるデータ（フォーマット）に変換してＣＲＴ１０に出力する。
【００３６】
ＣＲＴ１０は、切換部８より出力される画像信号に対応する画像をその画面２１上に表示するとともに、メッセージ表示回路１１より供給されるデータに対応するメッセージを、図２に示す画面２１上のメッセージ表示領域２２乃至２５に表示する。
【００３７】
図２に示すように、チューナ７、ＶＴＲ１２，１３およびＬＤＰ１４より出力されたメッセージが同時に且つ同じ位置に表示され、メッセージが見にくくならないように、異なる位置に配置されたメッセージ表示領域２２乃至２５は、チューナ７、ＶＴＲ１２，１３およびＬＤＰ１４より出力されたメッセージをそれぞれ表示する。さらに、各メッセージ表示領域２２乃至２５で表示されるメッセージは、どの装置（チューナ７、ＶＴＲ１２，１３またはＬＤＰ１４のうちのどの装置）のメッセージであるかを、容易に判断することができるように、例えば青、赤、黄および緑などのように異なる色でそれぞれ表示される。
【００３８】
チューナ７に内蔵されているメモリ７ａには、例えばチャンネルおよび音量などをＣＲＴ１０に表示するためのデータ（メッセージ）が記憶されている。ＶＴＲ１２および１３に内蔵されているメモリ１２ａおよび１３ａには、例えばＶＴＲ１２または１３が記録または再生動作を行うように操作がなされ、ＶＴＲ１２または１３にテープが装着されていなかったときや、記録中にテープが終了してしまったときに、使用者に警告するためのメッセージとして、例えば文字列「テープが装着されていません。」や、「テープが終了しました。」などを、ＣＲＴ１０に表示するためのデータ（メッセージ）が記憶されている。ＬＤＰ１４に内蔵されているメモリ１４ａには、例えばＬＤＰ１４が再生動作を行うように操作がなされ、ＬＤＰ１４にディスクが装着されていなかったときに、ＬＤＰ１４にディスクが装着されていないことを使用者に知らせるためのメッセージとしての文字列「ディスクが装着されていません。」をＣＲＴ１０に表示するためのデータ（メッセージ）などが記憶されている。
【００３９】
次に、その動作について説明する。リモコン２または操作部４を操作して、例えばチューナ７を制御すると、アンテナにより受信された電波から、目的のチャンネルが選択され、画像信号および音声信号が取り出される。ＣＰＵ５において、その画像信号および音声信号が、ＣＲＴ１０およびスピーカに供給されるように、切換部８に対して制御信号が出力される。切換部８において、ＣＰＵ５より供給された制御信号にしたがって、チューナ７より出力された画像信号はＣＲＴ１０に、音声信号はボリューム６でそのレベル（音量）が調整され、スピーカに供される。
【００４０】
ここで、リモコン２が操作された場合、その操作に対応する光が、リモコン２の内蔵する発光素子より発光され、その光は、受光部３において、受光され、受光された光が電気信号に変換され、ＣＰＵ５に供給される。操作部４が操作された場合、その操作に対応する電気信号がＣＰＵ５に供給される。
【００４１】
このとき、リモコン２または操作部４を操作して、チャンネルを選択したり（変えたり）、スピーカより出力される音量を調整したりすると、チューナ７に内蔵されているメモリ７ａに記憶されたチャンネルおよび音量などＣＲＴ１０に表示するためのデータ（メッセージ）が、ＣＰＵ５を介してメッセージ表示回路１１に供給され、メッセージ表示回路１１において、メッセージ表示領域２２に表示することのできるデータフォーマットに変換され、ＣＲＴ１０に供給される。ＣＲＴ１０において、選択されたチャンネルに対応する数字や調整された音量に対応する棒グラフが、チューナ７より出力されたメッセージであることが判るように青色でメッセージ表示領域２２に表示される。
【００４２】
このように、チューナ７よりチューニング（出力）されている番組（画像信号および音声信号）を、例えばＶＴＲ１２で記録する場合、チューナ７より出力された番組がＶＴＲ１２に供給されるように、リモコン２または操作部４を操作するとともに、ＶＴＲ１２が記録動作を開始するように、リモコン２または操作部４を操作する。すると、ＣＰＵ５において、チューナ７より切換部８を介してＣＲＴ１０およびスピーカに供給していた番組を、さらにＶＴＲ１２にも供給するように、切換部８に対して制御信号が出力されるとともに、ＶＴＲ１２の記録動作を開始させる制御を行うように、制御部９に対して制御信号が出力される。ＣＰＵ５より供給された制御信号にしたがって、切換部８において、チューナ７より出力された番組がＣＲＴ１０およびスピーカに供給されるとともに、ＶＴＲ１２にも供給される。同時に、制御部９において、ＣＰＵ５より出力された制御信号にしたがって、ＶＴＲ１２が記録動作を開始するように、制御がなされ（制御信号がＡＶバス（ＬＤＰ１４，ＶＴＲ１３）を介してＶＴＲ１２に対して出力され）、ＶＴＲ１２において、記録動作が開始される。
【００４３】
このとき、ＶＴＲ１２にテープが装着されていなかったり、記録中にテープが終了してしまったりすると、ＶＴＲ１２に内蔵されているメモリ１２ａに記憶されたテープが装着されていないことをＣＲＴ１０に表示するためのデータ（メッセージ）や、テープが終了したことをＣＲＴ１０に表示するためのデータ（メッセージ）が、ＡＶバスを介して制御部９に出力され、ＣＰＵ５を介してメッセージ表示回路１１に供給される。メッセージ表示回路１１において、このデータ（メッセージ）は、メッセージ表示領域２３に表示することのできるデータフォーマットに変換され、ＣＲＴ１０に供給される。そして、ＣＲＴ１０において、テープが装着されていないことを表すメッセージとしての文字列「テープが装着されていません。」や、記録中にテープが終了したことを表すメッセージとしての文字列「テープが終了しました。」が、ＶＴＲ１２より出力されたメッセージであることが判るように赤色でメッセージ表示領域２３に表示される。
【００４４】
チューナ７よりチューニング（出力）されている番組（画像信号および音声信号）を、ＶＴＲ１３で記録する場合においても、上述した場合と同様の処理がなされ、このとき、ＶＴＲ１３にテープが装着されていなかったり、記録中にテープが終了してしまったりすると、ＶＴＲ１３に内蔵されているメモリ１３ａに記憶されたデータ（メッセージ）が、ＡＶバスを介して制御部９に出力され、ＣＰＵ５を介してメッセージ表示回路１１に供給され、メッセージ表示回路１１において、このデータ（メッセージ）は、メッセージ表示領域２４に表示することのできるデータフォーマットに変換され、ＣＲＴ１０に供給される。そして、ＣＲＴ１０において、テープが装着されていないことを表すメッセージとしての文字列「テープが装着されていません。」や、記録中にテープが終了したことを表すメッセージとしての文字列「テープが終了しました。」が、ＶＴＲ１３より出力されたメッセージであることが判るように黄色でメッセージ表示領域２４に表示される。
【００４５】
次に、ＬＤＰ１４を選択し、画像信号および音声信号の再生を開始するように、リモコン２または操作部４を操作すると、ＣＰＵ５において、その画像信号および音声信号が、ＣＲＴ１０およびスピーカに供給されるように、切換部８に対して制御信号が出力されるとともに、ＬＤＰ１４の再生動作を開始させる制御を行うように、制御部９に対して制御信号が出力される。ＣＰＵ５より供給された制御信号にしたがって、切換部８において、ＬＤＰ１４より出力された画像信号および音声信号がＣＲＴ１０およびスピーカに供給され、同時に、制御部９において、ＣＰＵ５より出力された制御信号にしたがって、ＬＤＰ１４が再生動作を開始するように、ＡＶバスを介して制御がなされ（制御信号がＬＤＰ１４に対して出力され）、ＬＤＰ１４において、再生動作が開始される。
【００４６】
このとき、例えばＬＤＰ１４にディスクが装着されていないと、ＬＤＰ１４に内蔵されているメモリ１４ａに記憶されたディスクが装着されていないことをＣＲＴ１０に表示するためのデータ（メッセージ）が、制御部９に出力され、ＣＰＵ５を介してメッセージ表示回路１１に供給される。メッセージ表示回路１１において、このデータ（メッセージ）は、メッセージ表示領域２５に表示することのできるデータフォーマットに変換され、ＣＲＴ１０に供給される。そして、ＣＲＴ１０において、ディスクが装着されていないことを表すメッセージとしての文字列「ディスクが装着されていません。」が、ＬＤＰ１４より出力されたメッセージであることが判るように緑色でメッセージ表示領域２５に表示される。
【００４７】
以上説明したように、チューナ７、ＶＴＲ１２，１３およびＬＤＰ１４より出力されるメッセージをそれぞれ異なる位置（メッセージ表示領域２２乃至２５）に表示するとともに、各メッセージ表示領域２２乃至２５に表示されるメッセージを、色分けして表示するようにしたので、どの装置（チューナ７、ＶＴＲ１２，１３またはＬＤＰ１４のうちのどの装置）より出力されたメッセージであるかを、容易に判断することができる。
すなわち、図１の表示制御装置によれば、表示手段が、制御手段により制御される装置に対応して、画面に表示するメッセージの位置、該位置の色、および前記メッセージの表示色の少なくとも１つを変化させる。従って、メッセージの表示を見やすくすることができ、メッセージを出力している装置を容易に区別することができる。
【００４８】
なお、上述したように、各メッセージ表示領域２２乃至２５に表示されるメッセージの色をそれぞれ異なる色にするのではなく、どの装置から出力されたメッセージであるかを判別できるようなマーク（記号）や、その装置の名称をメッセージの先頭に付加するようにすることができる。
【００４９】
また、本実施例においては、画像信号および音声信号の両方を出力することができるチューナ７、ＶＴＲ１２，１３およびＬＤＰ１４を切換部８で選択することができる装置としたが、例えばＤＡＴなど音声信号のみを出力する装置をテレビジョン受像機１の外部入力端子に接続して、切換部８で選択することができるようにすることができる。さらに、本実施例においては、チューナ７はテレビジョン受像機１に内蔵されているが、このようにチューナ７をテレビジョン受像機１に内蔵させず、ＶＴＲ１２，１３およびＬＤＰ１４と同様に、このチューナ７も独立した装置としてテレビジョン受像機１の外部入力端子に接続し、システムを構成することができる。
【００５０】
図３は、本発明の電子機器制御装置を応用したＡＶシステムの一実施例の構成を示すブロック図である。この実施例においては、ＡＶセンタ１０１に対してバス（ＡＶバス）１２１を介してＶＴＲ１０３とＬＤＰ１０４がカスケード接続されている。また、このＡＶセンタ１０１に対しては、リモートコントローラ（リモコン）１０２を介して所定の指令をワイヤレスで入力することができるようになされている。
【００５１】
ＡＶセンタ１０１は、各部の動作を制御するＣＰＵ１１２を有している。ＲＯＭ１１３は、ＣＰＵ１１２が動作する上に必要なプログラムを記憶している。ＲＡＭ１１４は、必要に応じて処理動作に必要なデータなどを記憶する。受光部１１１は、リモコン１０２より供給される赤外線を受光し、その検出結果をＣＰＵ１１２に出力する。選択部１１６には、チューナ１１５、ＶＴＲ１０３およびＬＤＰ１０４より出力された信号が供給されている。選択部１１６はＣＰＵ１１２に制御され、いずれかの映像信号を選択してＣＲＴ１１７に出力するようになされている。
【００５２】
リモコン１０２を操作して所定の指令を入力すると、リモコン１０２より、この指令に対応する赤外線が受光部１１１に出力され、受光部１１１はこの赤外線信号を電気信号に変換してＣＰＵ１１２に出力する。ＣＰＵ１１２は、受光部１１１を介して、入力された指令を解読し、この指令に対応する命令をバス１２１を介してＶＴＲ１０３やＬＤＰ１０４に出力する。これにより、ＶＴＲ１０３やＬＤＰ１０４に対して記録、再生動作を実行させることができる。
【００５３】
ＣＰＵ１１２は、このようにリモコン１０２からの指令に対応してＶＴＲ１０３やＬＤＰ１０４を制御するとき、図４のフローチャートに示す処理を実行する。即ち、最初にステップＳ１において、バス１２１を介してＶＴＲ１０３やＬＤＰ１０４を制御したか否かを判定する。バス１２１を介してＶＴＲ１０３やＬＤＰ１０４を制御した場合においては、ステップＳ２に進み、ローカル入力禁止モードを設定する。このローカル入力禁止モードは、ＲＡＭ１１４に記憶される。そして、さらにステップＳ３に進み、ローカル入力を禁止する表示を実行する。
【００５４】
ステップＳ１において、バス１２１を介してＶＴＲ１０３やＬＤＰ１０４を制御していない状態であると判定された場合においては、ステップＳ２やステップＳ３の処理はスキップされることになる。
【００５５】
図５は、ステップＳ３における入力禁止表示の例を示している。図５（ａ）においては、ＶＴＲ１０３（またはＬＤＰ１０４）のパネルにランプやＬＥＤなどよりなる表示部１３１を設け、個別操作を禁止するとき、この表示部１３１が例えば赤色に点灯されるようになされている。また個別操作が禁止されない状態においては、表示部１３１は青色に点灯されるか、あるいはまた、消灯された状態とされるようになされている。従って、使用者はこの表示部１３１の表示状態を見て、その電子機器が個別操作が禁止された状態にあるか否かを容易に判定することができる。
【００５６】
図５（ｂ）においては、ＶＴＲ１０３のパネルのボリュームやチャンネルの表示部１３２あるいは１３３の色を変化させるようにしている。即ち、この場合においても、例えば個別操作入力が禁止された場合においては、表示部１３２や１３３が赤色に点灯される。そして個別操作入力が禁止されていない状態においては、青色に点灯される。あるいはまた、色を変化させるのではなく、例えば個別操作入力が禁止されている状態においては、表示部１３２や１３３を点滅させ、個別操作入力が禁止されていない状態においては、点滅させないようにする（連続点灯する）こともできる。
【００５７】
図５（ｃ）は、ＣＲＴ１１７にＶＴＲ１０３やＬＤＰ１０４が、いま個別操作入力が禁止された状態にあるか否かをまとめて表示する例を示している。図中、Ｘ印は個別操作入力が禁止された状態であることを示し、丸印は禁止されていない状態であることを示している。
【００５８】
図６は、ＶＴＲ１０３やＬＤＰ１０４が個別操作された場合の処理動作を示している。即ち、ステップＳ１１において、ＶＴＲ１０３やＬＤＰ１０４がそれぞれの機器に装着されているスイッチやボタンなどを操作するか、あるいは、それぞれの機器に専用に設けられているリモートコントローラ（リモコン）（図示せず）を操作することにより、何らかの指令が入力されたか否かが判定される。
【００５９】
このステップＳ１１において、何らかの入力がなされたと判定された場合においては、ステップＳ１２に進み、ローカル入力禁止モードであるか否かが判定される。即ち、上述したように、バス１２１を介してＶＴＲ１０３やＬＤＰ１０４が所定の動作を実行中であれば、ステップＳ２においてローカル入力禁止モードが設定されている。
【００６０】
もし、このローカル入力禁止モードが設定されていなければ、ステップＳ１３に進み、各キー、スイッチ、ボタンなどの指令に対応する処理が実行される。これに対して、ローカル入力禁止モードが設定されている場合においては、このステップＳ１３はスキップされる。即ち、スイッチ、ボタンあるいは専用のリモートコントローラを操作したとしても、ＶＴＲ１０３やＬＤＰ１０４は何ら動作を実行しないことになる。従って、ＡＶセンタ１０１を介して指令した動作が不用意に個別操作により中止されてしまうようなことが防止される。
【００６１】
図７は、本発明の電子機器制御装置を応用したＡＶシステムの別の実施例の構成を示す。この実施例では、切換部８Ａのオーディオ信号およびビデオ信号の入出力端子ＰＬ１、端子ＰＬ２、端子ＡＶ１、端子ＡＶ２および端子ＡＶ３には、それぞれ、ＢＳ（衛星放送）チューナ７Ａ、地上波（すなわちＶＨＦおよびＵＨＦ）チューナ７Ｂ、第１ＶＴＲ１２、ＬＤＰ１４および第２ＶＴＲ１３がそれぞれ接続されている。
【００６２】
ＶＴＲ１２、ＬＤＰ１４およびＶＴＲ１３は、例えばＤ２ＢバスよりなるＡＶバス１２１を介して制御部９にシリアルに接続されている。また、切換部８Ａから出力されるビデオ信号をＣＲＴ１０の親画面内の所定の子画面領域に表示するＰｉｎＰ（ピクチャ−イン−ピクチャ）回路１１Ａが設けられるとともに、ＣＰＵ５の出力に基づいて接続状態等を示す状態図をＣＲＴ１０に表示する状態図表示回路１１Ｂが設けられている。
【００６３】
図８は、図７の実施例の接続設定動作の例を示す。この例は、ＢＳチューナ７Ａから出力されているビデオ信号をＣＲＴ１０に表示している状態から、ＬＤＰ１４の出力ビデオ信号を第２ＶＴＲ１３にダビングする状態に切り換える動作に関するものである。まず、使用者が、リモコン２またはＡＶセンタ１の操作部４を操作して、新たな接続設定開始を指示すると、ＣＰＵ５は、状態図表示回路１１Ｂを制御して、ＣＲＴ１０の画面２１に、図９（ａ）に示されるように、現在の接続状態を表示する。
【００６４】
次に、使用者が、リモコン２またはＡＶセンタ１の操作部４を操作して、ＬＤＰ１４から第２ＶＴＲ１３へのダビングフィーチャを指示すると、ＣＰＵ５は、切換部８Ａを制御して、端子ＰＬ１とＣＲＴ１０との接続経路をオフにし（ステップＳ２１）、ＬＤＰ１４から端子ＡＶ２を介してＣＲＴ１０に至る接続経路と、端子ＡＶ２から端子ＡＶ３を介して第２ＶＴＲ１３に至る接続経路とを、それぞれ、プロテクトをかけて設定し（ステップＳ２２）、これらの接続経路を、図９（ｂ）に示されるように、状態図表示回路１１Ｂを介してＣＲＴ１０の画面２１に表示する。そして、ＣＰＵ５は、ＬＤＰ１４から入力されたダビングされる信号をＣＲＴ１０に出力表示するとともに、ＶＴＲ１３に出力する。
【００６５】
ダビング開始後１０秒経過すると（ステップＳ２３のＹＥＳ）、ＣＰＵ５は、切換部８Ａを制御して、ＬＤＰ１４から端子ＡＶ２を介してＣＲＴ１０に至る接続経路のプロテクトを解除し（ステップＳ２４）、端子ＡＶ２からＣＲＴ１０に至る接続経路をオフし（ステップＳ２５）、端子ＡＶ２をＰｉｎＰ回路１１Ａに接続する接続経路を設定し（ステップＳ２６）、ＬＤＰ１４から端子ＡＶ２を介してＰｉｎＰ回路１１Ａに至る接続経路にプロテクトをかけ（ステップＳ２７）、端子ＰＬ１からＣＲＴ１０に至る接続路を設定し（ステップＳ２８）、設定した接続路を、図９（ｃ）に示されるように、状態図表示回路１１Ｂを介してＣＲＴ１０の画面２１に表示する。そして、ＣＰＵ５は、切換部８Ａを制御して、ＬＤＰ１４からダビング中のビデオ信号をＰｉｎＰ回路１１Ａに供給して、ＰｉｎＰ回路１１ＡによってＣＲＴ１０の子画面に表示させ、前に見ていたＢＳチューナ７Ａからのビデオ信号をＣＲＴ１０の親画面に表示する。
【００６６】
このように、リモコン２の操作によって設定された接続状態がＣＲＴ１０に表示されるので、使用者の誤操作を予防でき、また、使用者は、誤操作した場合にそれを即座に知ることができる。
【００６７】
なお、録画モニタという機能キーを設けて、これを操作することにより、図９（ｃ）に示されているようなダビング画像を子画面に表示するモードから、図（ｂ）に示されているようなダビング画像を親画面に表示するモードに切り換えることもできる。
【００６８】
図１０は、図７の実施例の入力操作に対する表示動作および接続設定動作の例を示す。この例は、端子ＰＬ１、端子ＰＬ２、端子ＡＶ１、端子ＡＶ２および端子ＡＶ３に接続する機器を設定する動作に関するものである。例えば、端子ＡＶ１に接続する機器を設定する場合、ＣＰＵ５は、まず、図１１に示されるように、接続の第１候補として第１ＶＴＲ１２を、状態図表示回路１１Ｂを介してＣＲＴ１０の画面２１の端子ＡＶ１に対応する所定領域に表示する。ＣＰＵ５のプログラム（図７では、プログラムが記憶されているＲＯＭの図示は省略してある）は、画面中の「ＶＴＲ１」の位置にカーソルを位置決めして、リモコン２等によりカーソルダウン命令が入力されると、循環的に、「ＶＴＲ１」、「ＬＤＰ」、「ＶＴＲ２」、「ＢＳＴＵ」および「地上ＴＵ」の順に表示を変更し、カーソルアップ命令が入力されると、循環的に、「ＶＴＲ１」、「地上ＴＵ」、「ＢＳＴＵ」、「ＶＴＲ２」および「ＬＤＰ」の順に変更するように構成されている。
【００６９】
従って、ＣＰＵ５は、ある機器（例えば「ＶＴＲ１」）を表示した後（ステップＳ３１）、カーソルダウン命令すなわちカーソルを下向きに動かす命令が入力されたか（ステップＳ３２）、カーソルアップ命令すなわちカーソルを上向きに動かす命令が入力されたか（ステップＳ３４）を判断し、ダウン命令の場合には（ステップＳ３２のＹＥＳ）、次の機器（例えば、「ＬＤＰ」）を表示し（ステップＳ３３）、アップ命令の場合には（ステップＳ３４のＹＥＳ）、１つ前の機器（例えば、「地上ＴＵ」）を表示し（ステップＳ３５）、リモコン２によってクリック操作がなされると（ステップＳ３６）、そのとき表示されている機器との接続設定処理を行う（ステップＳ３７）。すなわち、この実施例においては、ＣＲＴ１０の所定領域における「ＶＴＲ１」、「ＬＤＰ」、「地上ＴＵ」等の表示がアイコンとして機能している。
【００７０】
なお、接続すべき機器の表示文字（例えば「ＶＴＲ１」）を指示するデバイスとしては、マウス、トラックボール等、種々のポインテイングデバイスを使用できる。
【００７１】
また、接続相手の機器を自動把握する方法は、例えば、特願平３−３５８８５５号に開示されている。なお、相手の機器が、自動設定検知機能を持たない場合は、相手の機器を選択する毎に、相手機器に何らかのＡＶ信号を発生させ、当該機器のＡＶ入力端子を上述の例ではＡＶ１に切り換えて、ＣＲＴ画面に相手機器のＡＶ信号を表示させることで、相手機器からのＡＶ信号と認識させる。また、相手機器からのＡＶ信号にＯＳＤデータ等の表示データを重畳させことにより、相手機器からのＡＶ信号であることが一目でわかるようになる。
【００７２】
図１２は、図７の実施例における他の機器の動作状態の表示動作を示し、図１３は、図１２の動作における表示例を示す。この例は、ワンタッチプレイの例である。最初、ＢＳチューナ７Ａから出力されているビデオ信号をＣＲＴ１０に表示されているとすると、使用者が、リモコン２またはＡＶセンタ１の操作部４を操作して、新たな接続設定開始を指示すると、ＣＰＵ５は、状態図表示回路１１Ｂを制御して、ＣＲＴ１０の画面２１に、図１３（ａ）に示されるように、現在の接続状態を表示する。
【００７３】
ここで、使用者が、リモコン２またはＡＶセンタ１の操作部４を操作して、ワンタッチプレイコマンドを入力すると、ＣＰＵ５は、切換部８Ａを制御して、ＢＳチューナ７Ａが接続された端子ＰＬ１からＣＲＴ１０への接続経路をオフにし（ステップＳ４１）、第１ＶＴＲ１２が接続された端子ＡＶ１からＣＲＴ１０に至る接続経路を設定し（ステップＳ４２）、第１ＶＴＲ１２の動作状態を調べて（ステップＳ４３）、設定した接続経路および第１ＶＴＲ１２の動作状態を、状態図表示回路１１Ｂを介して、ＣＲＴ１０の画面２１に、図１３（ｂ）に示されるように、表示する。図１３（ａ）中、＊＊は、動作状態を示す記号である。
【００７４】
このようにして、使用者は、第１ＶＴＲ１２の動作状態を知ることができる。
【００７５】
同様にして、第２ＶＴＲ１３およびＬＤＰ１４の動作状態を知ることができる。
【００７６】
なお、上記実施例では、ＣＲＴ１０に接続状態および機器の動作状態を図または記号で表示したが、各機器に設けられているＬＣＤに文字で表示してもよい。
【００７７】
また、スピーカを使用して、終了を通知したり、警告を発したりすることもできる。
以上のように、図３および図７の電子機器制御装置によれば、電子機器の個別の操作が禁止されていることを表示するようにしたので、使用者が各電子機器を誤って個別操作するようなことが防止される。また、仮に各電子機器を個別に操作し、各電子機器がその操作に対応して所定の動作を実行しない場合においても、その表示から、個別操作が現在禁止されている状態にあることを容易に知ることができるので、装置が故障していると誤認するような恐れが少なくなる。
【００７８】
図１４は、本発明の表示制御装置を適用したＡＶシステムの別の実施例の構成を示す。この実施例では、メッセージ表示回路１１は、例えば図１５に示されているように、一連のアドレスにアルファベットのフォント「Ａ」、「Ｂ」、「Ｃ」、「Ｄ」、・・・・を記憶しているフォントテーブルＦＴ１と、例えば図１６に示されているように、一連のアドレスにひらがなのフォント「あ」、「い」、「う」、「え」、・・・・を記憶しているフォントテーブルＦＴ２と、例えば図１７に示されているように、一連のアドレスにかたかなのフォント「ア」、「イ」、「ウ」、「エ」、・・・・を記憶しているフォントテーブルＦＴ３と、例えば図１８に示されているように、一連のアドレスに文字列「音量最大です」、「テープ終了」、「パワーオン」、「電源断」、・・・・を記憶している文字列テーブルＣＴとを備えている。
【００７９】
フォントテーブルＦＴ１，ＦＴ２およびＦＴ３ならびに文字列テーブルＣＴは、ＣＰＵ５からのテーブル選択信号によっていずれか一つが選択される。フォントテーブルＦＴ１，ＦＴ２およびＦＴ３に記憶されているフォントおよび文字列テーブルＣＴに記憶されている文字列は、ＣＰＵ５から出力されるアドレス信号により選択的に読み出される。
【００８０】
図１９は、図１４の実施例において文字列を表示するためにＤ２Ｂバス（ＡＶバス）１２１中を伝送されるデータのフォーマットの一例を示す。ＣＰＵ５は、バス１２１および制御部９を介してフォントテーブル選択コードを受けると、これに対応したフォントテーブルＦＴ１，ＦＴ２またはＦＴ３にフォント選択信号を供給する。そして、ＣＰＵ５は、これに続いて、バス１２１および制御部９を介してテキストデータを受けると、これに対応したアドレス信号をフォントテーブルＦＴ１，ＦＴ２またはＦＴ３に供給する。
【００８１】
また、ＣＰＵ５は、これに続いて、バス１２１および制御部９を介して文字列テーブル選択コードを受けると、文字列テーブルＣＴにテーブル選択信号を供給し、これに続いて、バス１２１および制御部９を介してテキストデータを受けると、これに対応したアドレス信号を文字列テーブルＣＴに供給する。合成回路ＭＣは、フォントテーブルＦＴ１，ＦＴ２およびＦＴ３ならびに文字列テーブルＣＴから出力されるフォント、ならびにＣＰＵ５から出力されるデータに対応したフォントを合成して、ＣＲＴ１０に出力する。
【００８２】
図２０は、図１４の実施例の一動作例を示すフローチャートである。以下、図２０を参照して、図１４の実施例の動作を説明する。まず、ＣＰＵ５は、バス１２１および制御部９を介してフォントテーブル選択コードを受けると（ステップＳ５１のＹＥＳ）、このコードが示すフォントテーブルＦＴ１，ＦＴ２またはＦＴ３にフォント選択信号を供給する（ステップＳ５２）。そして、ＣＰＵ５は、これに続いてバス１２１および制御部９を介して受けるテキストデータに対応したアドレス信号をフォントテーブルＦＴ１，ＦＴ２またはＦＴ３に供給してフォントを読み出し、選択したテーブルのフォントで受信データをＣＲＴ１０に表示する（ステップＳ５３）。
【００８３】
次に、ＣＰＵ５は、バス１２１および制御部９を介して文字列選択コードを受けると（ステツプＳ５４のＹＥＳ）、文字列テーブルＣＴにテーブル選択信号を供給し、これに続いてバス１２１および制御部９を介して受けるテキストデータに対応したアドレス信号を文字列テーブルＣＴに供給して対応した文字列を読み出し、受信データに対応した文字列をＣＲＴ１０に表示する（ステップＳ５５）。
【００８４】
また、ＣＰＵ５は、バス１２１および制御部９を介してフォントテーブル選択コード、文字列テーブル選択コードおよびテキストコード以外の表示データを受けると、このデータに対応した表示をメッセージ表示回路１１の合成回路ＭＣを介してＣＲＴ１０に行わせる。
【００８５】
図１４の実施例によれば、図１９のデータフォーマットと図４４の従来のデータフォーマットとの比較から明かなように、バス１２１のデータ伝送量を大幅に減少させることができる（図１９の例では、従来に比較して１１バイト少なくできる）。
以上のように、図１４の表示制御装置によれば、複数の文字列を記憶する文字列テーブルを設け、送られてきたデータに対応する文字列を文字列テーブルから読み出して表示するようにしたので、文字列を表示するためのデータ伝送量を少なくできる。
【００８６】
なお、文字列テーブルは、１つではなく複数用意してもよい。こうすることにより、種々の文字列を表示できるようになるとともに、ある文字列テーブルから出力される文字列と別の文字列テーブルから出力される文字列とを組み合わせることにより、より長い変化に富んだ文字列を表示できる。
【００８７】
また、複数の属性（アットリビュート）を１つのアドレスに記憶した属性テーブルを設け、１バイトで複数の属性を読み出すようにすれば、少ないデータ伝送量で文字修飾（カラー化、フラッシング等）を行うことができる。
【００８８】
図２１は、さらに他の実施例を表している。この実施例においては、ＡＶセンタとしてのテレビジョン受像機２１１に対して、ＮＥＷＤ２Ｂバス２９０を介してＶＴＲ２１２とＬＤＰ２１３がカスケードに接続されている。
【００８９】
テレビジョン受像機２１１は、ＴＶ制御マイコン２２１、ＩＦマイコン２２２、ＮＥＷＤ２Ｂ制御マイコン２２３、およびＣＲＴ２２４により構成されている。勿論、テレビジョン受像機２１１は、チューナ、その他の回路を内蔵しているが、その図示は省略されている。各マイコン２２１，２２２，２２３は、それぞれプログラムおよびその他のデータを予め記憶するＲＯＭ２３２，２４２，２７２、これらのＲＯＭに記憶されているプログラムに従って各種の処理を実行するＣＰＵ２３１，２４１，２７１、各種の処理に必要なデータを記憶するＲＡＭ２３３，２４３，２７３、電源をオフした場合においても、消去させたくないデータを記憶するＮＶＲＡＭ２３４，２４４，２７４をそれぞれ有している。
【００９０】
ＴＶ制御マイコン２２１は、テレビジョン受像機２１１用のリモコン２０１からの信号に対応して、テレビジョン受像機２１１の基本的な動作を制御するようになされている。
【００９１】
ＩＦマイコン２２２のＲＯＭ２４２に記憶されているプログラムには、ＡＶシステム用ＯＳＤ表示部２５１と、Ｉ２ＣバスＩＦ通信制御部２５２とが含まれている。ＡＶシステム用ＯＳＤ表示部２５１は、さらに表示ドライバ２６１を有している。
【００９２】
ＴＶ制御マイコン２２１とＩＦマイコン２２２は、Ｉ２Ｃバス３０２により接続されている。また、ＴＶ制御マイコン２２１とＩＦマイコン２２２は、必要に応じてＲＧＢデータを発生し、ＣＲＴ２２４に出力し、表示させるようになされている。
【００９３】
ＮＥＷＤ２Ｂ制御マイコン２２３のＲＯＭ２７２に記憶されているプログラムは、システム制御処理モジュール２８１と表示データ転送処理モジュール２８２を有している。ＮＥＷＤ２Ｂ制御マイコン２２３とＩＦマイコン２２２は、切替信号線３０３と３線バス３０４とにより接続されている。
【００９４】
ＩＦマイコン２２２のＩ２ＣバスＩＦ通信制御部２５２は、ＴＶ制御マイコン２２１からのデータをＮＥＷＤ２Ｂ制御マイコン２２３に供給するとともに、ＮＥＷＤ２Ｂ制御マイコン２２３からのデータをＴＶ制御マイコン２２１に供給するとき、動作される。いずれの方向への処理を実行するかは、ＮＥＷＤ２Ｂ制御マイコン２２３からＩＦマイコン２２２に切替信号線３０３を介して入力される切替信号に対応して決定される。ＮＥＷＤ２Ｂ制御マイコン２２３とＩＦマイコン２２２との間のデータの送受は、３線バス３０４を介して行われ、ＩＦマイコン２２２とＴＶ制御マイコン２２１との間のデータの送受は、Ｉ２Ｃバス３０２を介して行われる。
【００９５】
一方、ＡＶシステム用ＯＳＤ表示部２５１は、基本的に次の４つの処理を実行する。
（１）ＮＥＷＤ２Ｂ制御マイコン２２３が、ＮＥＷＤ２Ｂバス２９０を介してＶＴＲ２１２、あるいはＬＤＰ２１３から受信したＯＳＤデータをＣＲＴ２２４に表示する。
（２）システム設定初期化時、システム構成をＣＲＴ２２４に表示する。
（３）ＡＶセンタとしてのテレビジョン受像機２１１またはＶＴＲ２１２、あるいはＬＤＰ２１３が所定のフィーチャを実行するとき、そのフィーチャに関連するシステム状態をＣＲＴ２２４に表示する。
（４）ＡＶセンタとしてのテレビジョン受像機２１１またはＶＴＲ２１２、あるいはＬＤＰ２１３が録画フィーチャを実行するとき、その実行に先立って、ソース機器や録画機器の指定を行う際のシステムをＣＲＴ２２４に表示する。
【００９６】
上記（１）の表示を行うために、ＮＥＷＤ２Ｂ制御マイコン２２３は、ＮＥＷＤ２Ｂバス２９０を介して、ＶＴＲ２１２またはＬＤＰ２１３からＯＳＤデータを受信したとき、これをＡＳＣＩＩデータに変換して、３線バス３０４を介して、ＡＶシステム用ＯＳＤ表示部２５１に供給する。
【００９７】
また、上記（２），（３）または（４）の表示を行うために、リモコン２０１を操作して、ＴＶ制御マイコン２２１に所定の指令が入力された場合においては、その指令がＩ２Ｃバス３０２を介して、Ｉ２ＣバスＩＦ通信制御部２５２に供給される。そして、Ｉ２ＣバスＩＦ通信制御部２５２は、この指令を、３線バス３０４を介してＮＥＷＤ２Ｂ制御マイコン２２３に供給する。ＮＥＷＤ２Ｂ制御マイコン２２３は、この指令に対応して所定の処理を実行し、例えば後述するマクロ番号を、３線バス３０４を介してＩＦマイコン２２２のＡＶシステム用ＯＳＤ表示部２５１に出力する。また、ＮＥＷＤ２Ｂバス２９０を介してＮＥＷＤ２Ｂ制御マイコン２２３に入力されたデータは、（１）の表示を行う場合と同様に、ＡＳＣＩＩデータに変換された後、ＡＶシステム用ＯＳＤ表示部２５１に入力される。
【００９８】
ＡＶシステム用ＯＳＤ表示部２５１において、ＣＲＴ２２４に対して所定の表示を行わせる場合、ＡＶシステム用ＯＳＤ表示部２５１に対して、次のようなコマンドが入力される。
Ｆ０Ｈ，００：全画面消去
これにより、全画面が消去される。
Ｆ１Ｈ，００：１行消去
これにより、１行が消去される。
Ｆ２Ｈ，Ｘ，Ｙ，テーブル，色，文字，・・・，００：文字表示
これにより、位置（Ｘ，Ｙ）に、指定した色テーブルの色により、所定の文字が表示されることになる。位置（Ｘ，Ｙ）は、画面の左下の点を（２０Ｈ，２０Ｈ）とする。従って、（Ｘ，Ｙ）は、２０Ｈのオフセットが付加されることになる。
Ｆ８Ｈ：ヘッダデータ
このヘッダは、マクロ番号を転送するとき、その先頭に用いられる。
Ｆ９Ｈ：ヘッダデータ
このヘッダは、機器名称を登録するとき、その先頭に用いられる。
【００９９】
次に、図２１の実施例において、ＡＶシステムの接続状態をＣＲＴ２２４に表示させる場合の動作について説明する。
【０１００】
ＮＥＷＤ２Ｂ制御マイコン２２３のＲＯＭ２７２には、予め複数の（例えば３つの）ＡＶシステムの最大構成の標準パターンが記憶されている。使用者は、その中から所定のものを１つ選択する。選択された標準パターンは、ＲＯＭ２７２から読み出され、ＮＶＲＡＭ２７４に転送され、記憶される。
【０１０１】
図２２は、このようにして選択された１つのＡＶシステムの最大構成の標準パターンを示している。この実施例においては、ＡＶセンタ３０１に対して、電子機器３０２，３０４，３０６および３０８が接続されている。そして、電子機器３０２に対して電子機器３０３がさらに接続されており、電子機器３０４に対して電子機器３０５がさらに接続されている。また、電子機器３０６に対しては、電子機器３０７がさらに接続されており、電子機器３０６は、電子機器３０４とも接続されている。
【０１０２】
さらに電子機器３０８に対しては、電子機器３０９乃至３１２が接続されている。
【０１０３】
尚、図２２において、ＡＶセンタ３０１乃至電子機器３１２に対応して示されている符号Ｍ１乃至Ｍ１２は、ＲＯＭ２４２のＡＶシステム用ＯＳＤ表示部２５１に予め記憶されている表示図形の画像（マクロ番号）に対応している。各電子機器を接続する信号線Ｋ１２，Ｋ１３，Ｋ１４，Ｋ１５，Ｋ２６，Ｋ３４，Ｋ３７，Ｋ４８，Ｋ５９，Ｋ５１０，Ｋ５１１，Ｋ５１２も同様である。
【０１０４】
即ち、ＡＶシステム用ＯＳＤ表示部２５１においては、ＣＲＴ２２４に所定のＡＶシステムの構成を表示するために、図２２に示したブロックと接続線の画像を予め記憶している。そして、指令されたブロックと接続線のみを選択して、ＣＲＴ２２４に表示させるようになされている。各ブロックと線の表示位置は固定されている。
【０１０５】
図２３は、ＮＶＲＡＭ２７４に記憶されたＡＶシステムの標準パターンのうち、接続状態を表すデータの例を表している。この実施例においては、機器アドレス１と機器アドレス２が、画像信号と音声信号の両方を前者から後者に向けて供給するように接続されている。また、機器アドレス２と機器アドレス３は、音声信号を双方向に授受できるように接続されている。機器アドレス３と機器アドレス４は、前者から後者に対して音声信号と画像信号とを供給できるように接続されている。機器アドレス５と機器アドレス６も、前者から後者に対して音声信号と画像信号を供給できるように接続されている。また、機器アドレス６と機器アドレス７は、音声信号を双方向で授受できるように接続されている。さらにまた、機器アドレス７と機器アドレス８は、前者から後者に対して、音声信号と画像信号を供給できるように接続されている。
【０１０６】
このような機器アドレスと接続信号線の種類、および信号の供給方向のデータが、そのＡＶシステムを構成する最大構成のシステム（標準パターン）として予め記憶されている。
【０１０７】
また、各電子機器（機器アドレス）の接続線に対応する経路表示マクロ番号が、予め記憶されている。尚、この実施例の場合、経路表示マクロ番号は、アルファベットのＫの文字に、相互に接続される機器アドレスの番号を付加して表されている。例えば、機器アドレス５と機器アドレス６を接続する経路表示マクロ番号は、Ｋ５６のように表される。
【０１０８】
これに対して、使用者は、予め用意されている標準パターンに対して、実際に使用する接続状態を選択して、標準パターンを補正する。選択した接続状態に対しては、実システムのフラグがセットされる。図２３においては、このフラグは、実システムの欄に表示されている。即ち、実システムの欄に１が表示されている接続経路は、使用者が選択した接続経路である。
【０１０９】
また、図２３において、実行経路の欄に示すフラグは、そのシステムにおいて所定の処理を実行するとき、ＣＰＵ２７１が、その処理を実行する上において必要なものとして選択した経路である。また、経路表示実行の欄にセットされているフラグは、対応する経路をＣＲＴ２２４に表示するときセットされるフラグである。この他、図２３には、録画ロックの欄が設けられている。この録画ロックは、録画動作を実行した場合、録画動作継続中はその経路を確保し（ロックし）、その他のための使用を禁止する場合にフラグをセットするものである。
【０１１０】
これらのフラグは、ＮＶＲＡＭ２７４に記憶される。
【０１１１】
図２４は、図２３に示す接続経路に対応して、ＲＯＭ２７２に予め記憶されている電子機器のテーブルである。このテーブルも、ＲＯＭ２７２から図２３に示したテーブルとともに読み出され、ＮＶＲＡＭ２７４に転送され、記憶されるものである。この実施例においては、機器アドレス１乃至３に対応する電子機器として、ＶＴＲ１乃至３がデフォルトとして規定されている。また、機器アドレス１乃至４には、マクロ番号Ｍ１乃至Ｍ４が割り当てられている。図２４の実機器名の欄に表示されている８ＭＭ，ＢＳ−３０００，ＢＥＴＡなどの文字は、使用者が必要に応じて、機器アドレス１乃至３に対応して設定する名称である。
【０１１２】
即ち、この実施例においては、図２５に示すように、ＳＣＣ（Ｓｙｓｔｅｍ  Ｃｏｎｆｉｇｕｒａｔｉｏｎ  Ｃｏｄｅ）で定義される最大構成のシステム情報（標準パターン）を補正して、実際のＡＶシステムの構成を設定する。そして、その中から、所定の機能を実行する機器や経路が適宜選択され、必要に応じてＯＳＤ表示される。
【０１１３】
図２６は、図２２に示した接続状態をＣＲＴ２２４に表示させるために、ＡＶシステム用ＯＳＤ表示部２５１にＮＥＷＤ２Ｂ制御マイコン２２３から供給するデータの例を表している。図２２に示すようなＡＶシステム全体の接続状態を示す場合においては、１０Ｈのデータ（マクロ番号）をＡＶシステム用ＯＳＤ表示部２５１に伝送する。具体的には、このデータは、上述したように、ヘッダＦ８Ｈとターミネートとしての００の間に挟まれて、次のように伝送される。
Ｆ８Ｈ，１０Ｈ，００
【０１１４】
図２２に示したマクロ番号Ｍ１乃至Ｍ１２に対応する画像を表示させるには、０１Ｈ乃至０ＣＨのデータ（マクロ番号）が伝送される。同様に、Ｋ１２乃至Ｋ５１２のマクロ番号で表される信号線を表示させるには、２１Ｈ乃至２ＣＨのデータ（マクロ番号）が伝送される。
【０１１５】
電子機器を表す画像に対応するマクロ番号Ｍ１乃至Ｍ１２に対しては、機器を表示させるためのデータ（マクロ番号）０１Ｈ乃至０ＣＨの他に、信号線として表示させるためのデータ（マクロ番号）１１Ｈ乃至１ＣＨが用意されている。即ち、例えばマクロ番号Ｍ３として、データ０３Ｈを伝送すれば、マクロ番号Ｍ３に対応する位置には、機器を示すブロックの図形が表示されるが、データ１３Ｈを伝送すれば、その位置には、ブロックの図形に代えて、信号線が表示される。従って、使用者は、図２２に示した電子機器のうち、例えばＭ２の電子機器を実際には使用せず、Ｍ６の電子機器をＡＶセンタＭ１に直接接続する場合においては、Ｍ２のブロック番号に対応するデータとして、０２Ｈの代わりに、１２Ｈを伝送する。すると、ＡＶセンタＭ１がブロック番号Ｍ６の電子機器に対して直接信号線で接続された状態が表示されることになる。
【０１１６】
さらにまた、マクロ番号Ｍ１乃至Ｍ１２の電子機器に対応して、色を変更する場合のデータ（マクロ番号）が用意されている。即ち、機器の色を変更する場合においては、データ０１Ｈ乃至０ＣＨに代えて、８１Ｈ乃至８ＣＨが伝送される。また、ブロック図形に代えた信号線路の色を所定の他の色に変更する場合においては、１１Ｈ乃至１ＣＨの代わりに、９１Ｈ乃至９ＣＨのデータが伝送される。あるいはまた、機器をフラッシングさせる場合においては、０１Ｈ乃至０ＣＨのデータに代えて、Ｃ１Ｈ乃至ＣＣＨのデータが伝送され、信号線路を点滅させる場合においては、１１Ｈ乃至１ＣＨのデータに代えて、Ｄ１Ｈ乃至ＤＣＨのデータが伝送される。
【０１１７】
同様に、信号線路Ｋ１２乃至Ｋ５１２の色を所定の他の色に変更する場合においては、データ２１Ｈ乃至２ＣＨに代えて、データＡ１Ｈ乃至ＡＣＨが伝送され、また、これらの信号線路をフラッシングさせる場合においては、データ２１Ｈ乃至２ＣＨに代えて、データＥ１Ｈ乃至ＥＣＨが伝送される。このように、表示すべき状態に対応して、同一のマクロ番号に対して複数のデータを用意し、その所定のものを選択することで、表示状態を変更することができる。
【０１１８】
さらにまた、マクロ番号Ｍ１乃至Ｍ１２で示した各電子機器に対しては、ＡＳＣＩＩコードで表される６文字以内の文字で、図２７に示すように、名称を付加することができる。この名称を登録する場合においては、ＮＥＷＤ２Ｂ制御マイコン２２３からＡＶシステム用ＯＳＤ表示部２５１に対して、次のようなフォーマットでデータが伝送される。
Ｆ９Ｈ，７＊Ｈ，ＡＳＣＩＩ（６文字），００
【０１１９】
ここで、上述したように、Ｆ９Ｈはヘッダであり、７＊Ｈは機器を指定するものであり、＊の位置には、マクロ番号Ｍ１乃至Ｍ１２のデータ０１Ｈ乃至０ＣＨに対応して、１乃至Ｃの文字が配置される。また、ＡＳＣＩＩの文字は、２０Ｈ乃至７ＦＨの範囲の文字とされる。
【０１２０】
図２８は、図２２に示したＡＶシステムの最大の構成を全て使用した場合の表示例を表してる。この表示を実行させるには、ＮＥＷＤ２Ｂ制御マイコン２２３からＡＶシステム用ＯＳＤ表示部２５１に対して、次のデータが伝送されることになる。
Ｆ８Ｈ，０１Ｈ，０２Ｈ，０３Ｈ，０４Ｈ，０５Ｈ，０６Ｈ，０７Ｈ，０８Ｈ，０９Ｈ，０ＡＨ，０ＢＨ，０ＣＨ，２１Ｈ，２２Ｈ，２３Ｈ，２４Ｈ，２５Ｈ，２６Ｈ，２７Ｈ，２８Ｈ，２９Ｈ，２ＡＨ，２ＢＨ，２ＣＨ，００
【０１２１】
また、この実施例においては、マクロ番号Ｍ１乃至Ｍ１２の各電子機器３０１乃至３１２の名称として、ＡＶセンタ、ＶＴＲ４、ＶＴＲ２、ＶＴＲ１、オーディオアンプ（ＡＵ−ＡＮＰ）、マルチディスクプレーヤ（ＭＤＰ）、ビデオチューナ（Ｖ．ＴＵＮＥＲ）、ＶＴＲ３、オーディオテープレコーダ（ＴＣ）、ミニディスク装置（ＭＤ）、コンパクトディスクプレーヤ（ＣＤ）、ＦＭオーディオチューナ（ＡＵ−ＴＵＮＥＲ）がそれぞれ登録されている。
【０１２２】
図２９は、図２８に示した最大構成のうち、例えばＭＤＰ３０３、オーディオアンプ３０８、オーディオテープレコーダ３０９、ミニディスク装置３１０、コンパクトディスクプレーヤ３１１、オーディオチューナ３１２を省略した場合の表示例を表している。この場合、伝送されるデータは、次のようになる。
Ｆ８Ｈ，０１Ｈ，０２Ｈ，０３Ｈ，０４Ｈ，０７Ｈ，０８Ｈ，２１Ｈ，２２Ｈ，２３Ｈ，２６Ｈ，２７Ｈ，２８Ｈ，００
【０１２３】
即ち、この場合においては、Ｍ１，Ｍ２，Ｍ３，Ｍ４，Ｍ７，Ｍ８，Ｋ１２，Ｋ１３，Ｋ１４，Ｋ３４，Ｋ３７，Ｋ４８の各マクロ番号が伝送されることになる。
【０１２４】
図３０は、図２８に示す最大構成から、ＶＴＲ１，ＶＴＲ２並びにオーディオアンプ３０８とそれに接続されている各電子機器を省略した構成例を示している。即ち、この場合に伝送されるべきマクロ番号は、Ｍ１，Ｍ２，Ｍ３，Ｍ４，Ｍ６，Ｍ７，Ｍ８，Ｋ１２，Ｋ１３，Ｋ１４，Ｋ２６，Ｋ３７，Ｋ４８となり、伝送データは、次のようになる。
Ｆ８Ｈ，０１Ｈ，０２Ｈ，１３Ｈ，１４Ｈ，０６Ｈ，０７Ｈ，０８Ｈ，２１Ｈ，２２Ｈ，２３Ｈ，２５Ｈ，２７Ｈ，２８Ｈ，００
【０１２５】
この実施例においては、マクロ番号Ｍ３とＭ４のデータが、０３Ｈと０４Ｈに代えて、１３Ｈと１４Ｈとされているため、画面上にはブロックの図形が表示されず、信号線が表示される。
【０１２６】
以上のような各表示を行うには、リモコン２０１の所定のキーあるいはボタンを操作して、ＴＶ制御マイコン２２１に所定の指令を入力する。この指令は、Ｉ２Ｃバス３０２を介して、ＩＦマイコン２２２のＩ２ＣバスＩＦ通信制御部２５２に入力され、そこからさらに３線バス３０４を介して、ＮＥＷＤ２Ｂ制御マイコン２２３に入力される。
【０１２７】
ＮＥＷＤ２Ｂ制御マイコン２２３のＣＰＵ２７１は、この指令に対応して、ＲＯＭ２７２に記憶されている、例えば３つのＡＶシステムが最大構成のデータ（標準パターン）を読み出させる。そして、このデータを、３線バス３０４を介してＩＦマイコン２２２のＡＶシステム用ＯＳＤ表示部２５１に伝送させる。
【０１２８】
ＡＶシステム用ＯＳＤ表示部２５１は、このデータをＣＲＴ２２４に出力し、表示させる。使用者は、このようにして表示された３つの標準パターンの中から所定のものを選択する。この選択の指令も、リモコン２０１を操作することにより入力される。ＣＰＵ２７１は、選択された構成のデータ（標準パターン）をＲＯＭ２７２から読み出し、ＮＶＲＡＭ２７４に記憶させる。
【０１２９】
使用者は、さらにリモコン２０１を操作して、ＮＶＲＡＭ２７４に記憶させた最大構成の接続状態のうち、必要な接続状態を選択、指令する。ＣＰＵ２７１（システム制御処理モジュール２８１）は、この指令の入力を受けたとき、ＮＶＲＡＭ２７４に記憶されているテーブルの実システム（図２３）の欄にフラグをセットする。また、対応する電子機器の名称が、リモコン２０１を操作することにより入力された場合においても、同様に、対応する機器の実機器名（図２４）の欄に入力された名称を登録する。
【０１３０】
以上のようなＲＯＭ２７２に予め記憶されているデータをＮＶＲＡＭ２７４に転送し、記憶させる処理、およびフラグをセットさせる処理は、ＲＯＭ２７２に記憶されているプログラムのうち、システム制御処理モジュール２８１が実行する。
【０１３１】
一方、表示データ転送処理モジュール２８２が所定の周期で割り込みで起動される。この表示データ転送処理モジュール２８２は、ＮＶＲＡＭ２７４に記憶されているテーブルの経路表示実行欄のフラグ（図２３）と、機器表示実行欄のフラグ（図２４）とを参照し、そこに１がセットされている場合においては、対応するマクロ番号を、上述したようにして、ヘッダとターミネートとの間に挟んで伝送する。そして、その伝送が終了したとき、そのフラグをリセットさせる。
【０１３２】
この伝送データは、３線バス３０４を介してＩＦマイコン２２２のＡＶシステム用ＯＳＤ表示部２５１に供給される。ＡＶシステム用ＯＳＤ表示部２５１は、このデータの入力を受けたとき、予め記憶されているマクロ番号に対応する画像を読み出し、表示ドライバ２６１によりビットマップデータに変換させ、ＣＲＴ２２４に表示させる。
【０１３３】
以上の実施例においては、図３１に示すように、ＮＥＷＤ２Ｂ制御マイコン２２３に、システム制御処理ルーチン（システム制御処理モジュール２８１、表示データ転送処理モジュール２８２）を設け、ＩＦマイコン２２２に、画面表示ルーチン（表示ドライバ２６１）を設けるようにしたが、図３２に示すように、画面表示ルーチン（表示ドライバ２６１）をＮＥＷＤ２Ｂ制御マイコン２２３の内部にサブルーチンとして設けるように構成した場合においても、即ち、ＩＦマイコン２２２を省略した構成に設計変更した場合においても、ＮＥＷＤ２Ｂ制御マイコン２２３のシステム制御処理モジュール２８１、表示データ転送処理モジュール２８２は、図３１における場合のものをそのまま用いることが可能となる。即ち、設計変更を必要とする部分は、少なくて済む。
【０１３４】
図３３は、さらに他の実施例を表している。この実施例においては、ＡＶセンタとして、ＡＶアンプ２１４が設けられ、このＡＶアンプ２１４にＮＥＷＤ２Ｂバス２９０を介して、テレビジョン受像機２１１、ＬＤＰ２１３、ＶＴＲ２１２といった電子機器が接続されている。従って、この場合においては、ＡＶアンプ２１４からテレビジョン受像機２１１に対してマクロ番号を転送して、システム構成をテレビジョン受像機２１１のＣＲＴに表示させることになる。この場合においても、ＡＶアンプ２１４が内蔵するマイコンのプログラムは、上述したテレビジョン受像機２１１をＡＶセンタとする場合におけるプログラムと殆ど同一のものを用いることが可能となる。
【０１３５】
図３４は、縦型に表示されたＡＶシステムの接続構成図を示している。このように、システム接続構成が縦型に表示される場合、ＡＶセンタ３０１に接続された第４ＶＴＲ（ＶＴＲ４）３０２、第２ＶＴＲ（ＶＴＲ２）３０４、第１ＶＴＲ（ＶＴＲ１）３０６、第３ＶＴＲ（ＶＴＲ３）３０７、Ｖ．ＴＵＮＥＲ３０５、およびＭＤＰ３０３は、ＡＶセンタ３０１に対して下部に位置するように表示される。
【０１３６】
このように、システム接続構成図をＣＲＴ２２４に縦型に表示させた状態で、システム設定初期化等の処理を行ったり、その結果をＣＲＴ２２４に表示させたりすることができる。
【０１３７】
図３５は、横型に表示されたＡＶシステムの接続構成図を示している。この場合、ＡＶセンタ３０１はＣＲＴ２２４の画面の中心に表示され、信号のソースとなるソース機器側の機器はＡＶセンタ３０１の左側に、そして信号の送り先となるディスティネーション側（録画機器側）の機器はＡＶセンタ３０１の右側にそれぞれ表示される。
【０１３８】
例えば、ダビングを行う場合、このように、ＡＶシステムの接続構成を横型に表示する。まず、ダビングフィーチャを実行する処理ルーチンより、「横モード指定」を表すデータが表示ドライバ２６１（図２１）に送られ、次に、ＡＶシステム用ＯＳＤ表示部２５１より、ＡＶシステムを構成する機器に対応するマクロ番号からなるデータが、表示ドライバ２６１に供給される。表示ドライバ２６１は、このデータに対応して、ＡＶシステムの接続構成を横型に表示する。
【０１３９】
ＡＶシステムを構成する機器に対応するマクロ番号からなるデータは、上述したように、所定の周期で、表示データ転送処理モジュール２８２より、ＡＶシステム用ＯＳＤ表示部２５１に供給される。
【０１４０】
例えば、使用者により、ＣＲＴ２２４の画面の左側に表示されたソース機器が選択されると、選択されたソース機器に対応する、図３６に示したシステム管理情報テーブルのソース機器の選択の欄に、例えばフラグ１がセットされる。
【０１４１】
ここで、図３６は、ＡＶシステムを構成する機器の接続状態を表すシステム管理情報テーブルを示す図である。図３６は、図２３において、ソース機器が選択されたことを示す欄（ソース機器の選択欄）と、録画機器が選択されたことを示す欄（録画機器の選択欄）が新たに追加されたことを除いて、図２３に示したテーブルと基本的に同様の構成をなしている。
【０１４２】
上述したように、表示データ転送処理モジュール２８２が、所定の周期で割り込みにより起動され、ＮＶＲＡＭ２７４に記憶されているシステム管理情報テーブル（図３６）の経路表示実行欄のフラグ（図３６）と、機器表示実行欄のフラグ（図２４）とを参照し、そこに１がセットされている場合においては、対応するマクロ番号からなるデータを、３線バス３０４を介してＩＦマイコン２２２のＡＶシステム用ＯＳＤ表示部２５１に供給する。
【０１４３】
また、システム管理情報テーブルのソース機器の選択欄を参照し、そこに１がセットされている場合においては、そのソース機器が選択されたことを示すデータを、３線バス３０４を介してＩＦマイコン２２２のＡＶシステム用ＯＳＤ表示部２５１に供給する。同様に、システム管理情報テーブルの録画機器の選択欄を参照し、そこに１がセットされている場合においては、その録画機器が選択されたことを示すデータを、３線バス３０４を介してＩＦマイコン２２２のＡＶシステム用ＯＳＤ表示部２５１に供給する。
【０１４４】
図３７は、このようにして選択されたＡＶシステムの最大構成を横型に表示する場合の標準パターンを示している。ソース側の機器として、ＡＶセンタ３０１（マクロ番号Ｍ１）に対して、マクロ番号Ｍ２，Ｍ３，およびＭ４に対応する機器が接続されている。そして、マクロ番号Ｍ２に対応する機器に対してマクロ番号Ｍ６に対応する機器がさらに接続されており、マクロ番号Ｍ３に対応する機器に対してマクロ番号Ｍ７に対応する機器がさらに接続されている。また、マクロ番号４に対応する機器に対しては、マクロ番号Ｍ８に対応する機器がさらに接続されている。
【０１４５】
また、録画側の機器としては、マクロ番号Ｍ１に対応するＡＶセンタ３０１に、マクロ番号Ｍ４に対応する機器が接続され、マクロ番号４に対応する機器には、マクロ番号Ｍ３およびＭ８に対応する機器がそれぞれ接続されている。さらに、マクロ番号Ｍ１に対応するＡＶセンタ３０１は、マクロ番号Ｍ９に対応するモニタ画面、またはマクロ番号Ｍ１０に対応するＰｉｎＰ画面をＣＲＴ２２４にそれぞれ表示することが可能である。
【０１４６】
ここで、マクロ番号Ｍ１乃至Ｍ４およびマクロ番号Ｍ６乃至Ｍ８は、ＲＯＭ２４２のＡＶシステム用ＯＳＤ表示部２５１に予め記憶されている表示図形の画像に対応している。各電子機器を接続する接続線（信号線）Ｋ１２，Ｋ１３，Ｋ１４，Ｋ２６，Ｋ３４，Ｋ３７，Ｋ４８も同様である。そして、これらの表示図形は、システム接続構成を横型に表示するためのものである。
【０１４７】
即ち、ＡＶシステム用ＯＳＤ表示部２５１においては、ＣＲＴ２２４に所定のＡＶシステムの接続構成を表示するために、図３７に示したブロック（例えば、モニタ画面、ＰｉｎＰ画面またはＡＶセンタ３０１に対応する図形）または文字（例えば、「ＶＴＲ１」や「ＶＴＲ２」など）からなる各機器を表す画像と接続線に対応する画像を予め記憶している。そして、指令されたブロックまたは文字と接続線のみを選択して、ＣＲＴ２２４に表示させるようにしている。各ブロックまたは文字と接続線の表示位置は固定されている。
【０１４８】
このように、各機器に対応する表示図形の画像は、ＡＶシステム用ＯＳＤ表示部２５１に予め記憶されているから、ＡＶシステム用ＯＳＤ表示部２５１は、表示データ転送処理モジュール２８２より、３線バス３０４を介して供給されたデータを構成するマクロ番号に対応する表示図形の画像（横型に表示する場合は、横型表示に対応した画像）を読み出し、表示ドライバ２６１によりビットマップデータに変換させ、それをＣＲＴ２２４に横型のシステム接続構成図として表示させることができる。
【０１４９】
また、システム接続構成図を、図３５のように横型に表示して、機器の選択処理を行う場合、ＡＶシステム用ＯＳＤ表示部２５１は、図３６に示したＡＶシステム管理情報テーブルの録画機器の選択の欄にフラグ１がセットされた録画機器を、ソース機器側に表示しないようにするか、または灰色で表示するなどして、その機器が、録画機器側ですでに選択されたことがわかるようにすることができる。
【０１５０】
同様に、図３６に示したＡＶシステム管理情報テーブルのソース機器の選択の欄に、フラグ１がセットされたソース機器を、録画機器側に表示しないようにするか、または灰色で表示するなどして、その機器が、ソース側ですでに選択されたことがわかるようにすることができる。
【０１５１】
また、使用者による機器の選択が終了した後、ＡＶシステム用ＯＳＤ表示部２５１は、ソース機器または録画機器として選択された機器に対応する文字列を囲む矩形領域の背景色を変化させるなどして、その機器が選択された機器であることがわかるようにすることができる。
【０１５２】
図３８は、ソース機器として「ＶＴＲ４」を選択し、録画機器として「ＶＴＲ１」を選択した場合、ＣＲＴ２２４に表示されるシステム接続構成図を示している。図３８においては、図３５において録画機器として選択された「ＶＴＲ１」を、ソース機器側に表示しないようにしている。
【０１５３】
逆に、図３９に示すように、ソース機器として「ＶＴＲ１」が選択された場合、録画機器側に「ＶＴＲ１」を表示しないようにする。また、「ＶＴＲ１」を例えば灰色で表示することにより、その機器がすでにソース機器側または録画機器側において選択されたことを示すようにすることもできる。
【０１５４】
これにより、使用者は、ソース機器または録画機器としてすでに選択されている機器を容易に認識することができ、例えば機器選択を行う際の誤操作を抑制することができる。
【０１５５】
ソース機器および録画機器の選択が終了すると、図４０に示したような接続構成図が表示される。この際、例えば、文字列「ＶＴＲ１」を囲む矩形領域（図４０に示した矩形領域４０ｂ，４０ｃ）、および文字列「ＶＴＲ４」を囲む矩形領域（図４０に示した矩形領域４０ａ）の背景色を所定の色に変えるなどして、それらの機器が動作中であることを示すようにすることができる。さらに、「ＶＴＲ４」から「ＶＴＲ１」への接続線を表示するようにし、第４ＶＴＲ３０２（「ＶＴＲ４」）から出力される信号が第１ＶＴＲ３０６（「ＶＴＲ１」）に供給されていることがわかるようにすることができる。
【０１５６】
さらに、第１ＶＴＲ３０６（「ＶＴＲ１」）より出力される信号が、例えばＰｉｎＰ画面に供給されている場合、第１ＶＴＲ３０６（「ＶＴＲ１」）と、ＰｉｎＰ画面とを結ぶ接続線を表示するようにすることができる。
【０１５７】
図４０に示した接続構成の場合、第４ＶＴＲ（「ＶＴＲ４」）３０２から出力されたＡＶ信号は、ＡＶセンタ３０１を介して第１ＶＴＲ（「ＶＴＲ１」）３０６に供給され、第１ＶＴＲ（「ＶＴＲ１」）３０６は第４ＶＴＲ（「ＶＴＲ４」）３０２より供給されたＡＶ信号を録画する。また、第１ＶＴＲ（「ＶＴＲ１」）３０６により録画されているＡＶ信号を構成する映像信号は、ＡＶセンタ３０１に供給され、ＰｉｎＰ画面に表示される。
【０１５８】
各機器間の現在の接続状況を記述した情報、例えば、第４ＶＴＲ３０２から出力されたＡＶ信号が、ＡＶセンタ３０１を介して、第１ＶＴＲ３０６に供給されていること、第１ＶＴＲ３０６から出力されるＡＶ信号が、ＡＶセンタ３０１のＣＲＴ２２４のＰｉｎＰ画面に表示されるように内部の接続が切り換えられていること、さらに、ＡＶセンタ３０１が内蔵するＶ．ＴＵＮＥＲまたはＢＳ−ＴＵＮＥＲ（ＢＳチューナ）から出力されたＡＶ信号が、モニタ画面に表示されるように内部の接続が切り換えられていることなどを記述した情報を、例えば、ＮＶＲＡＭ２７４に記憶されている所定のテーブル（ＡＶ信号接続情報テーブル）にセットする。
【０１５９】
図４１は、ＡＶ信号接続情報テーブルの一実施例の構成を示す図である。機器アドレスの欄には、ＡＶセンタ３０１に接続された機器のアドレスがセットされ、接続機器アドレスの欄には、各機器の機器アドレスに対応させて、その機器から出力されるＡＶ信号が供給される相手機器の機器アドレス、またはモニタ画面若しくはＰｉｎＰ画面に対応する所定の値がセットされる。他の機器に接続されていない機器の機器アドレスに対応する接続機器アドレスの欄には、機器アドレスとして設定されない所定の値がセットされる。
【０１６０】
即ち、所定の機器の機器アドレスに対応させて、その機器の出力信号が供給される相手機器のアドレス、またはモニタ画面またはＰｉｎＰ画面に対応する所定の値を、ＡＶ信号接続情報テーブルにセットする。そして、このテーブルにセットされた情報に基づいて、モニタ画面またはＰｉｎＰ画面に対応する図形（画像）をＣＲＴ２２４に表示し、各機器間の接続線に対応する図形を表示するようにする。
【０１６１】
また、所定の周期で割り込みにより起動される表示データ転送処理モジュール２８２は、ＮＶＲＡＭ２７４に記憶されているＡＶ信号接続情報テーブルにセットされている情報を読み出し、それを３線バス３０４を介してＩＦマイコン２２２のＡＶシステム用ＯＳＤ表示部２５１に出力する。ＡＶシステム用ＯＳＤ表示部２５１は、このデータを表示ドライバ２６１に供給する。
【０１６２】
表示ドライバ２６１は、ＡＶシステム用ＯＳＤ表示部２５１より供給されるデータに基づいて、所定の機器からのＡＶ信号がモニタ画面に供給される様子を示す図形と、所定の機器からのＡＶ信号がＰｉｎＰ画面に供給される様子を示す図形を、ＣＲＴ２２４の画面の所定の位置にそれぞれ表示させる。
【０１６３】
従って、ＡＶ信号接続情報テーブルに、第１ＶＴＲ３０６（ＶＴＲ１）の機器アドレスに対応して、ＰｉｎＰ画面に対応するデータがセットされている場合、第１ＶＴＲ３０６（ＶＴＲ１）から出力されるＡＶ信号に対応する映像が、ＣＲＴ２２４のＰｉｎＰ画面に表示されるとともに、図３８に示すような接続構成図がＣＲＴ２２４に表示される。
【０１６４】
ＡＶセンタ３０１に内蔵されたスイッチまたは、リモコン２０１を操作して、ＰｉｎＰ画面に表示されている画像と、モニタ画面に表示されている画像とを切り換えるように、ＴＶ制御マイコン２２１に指令が入力されると、その指令は、まず、Ｉ２Ｃバス３０２を介して、Ｉ２ＣバスＩＦ通信制御部２５２に入力される。Ｉ２ＣバスＩＦ通信制御部２５２に入力された指令は、３線バス３０４を介して、ＮＥＷＤ２Ｂ制御マイコン２２３に供給される。
【０１６５】
次に、ＮＥＷＤ２Ｂ制御マイコン２２３は、この指令に対応して、ＮＶＲＡＭ２７４に記憶されたＡＶ信号接続情報テーブルの情報を書き換える。いまの場合、ＡＶセンタ３０１が内蔵するＶ．ＴＵＮＥＲまたはＢＳ−ＴＵＮＥＲの機器アドレスに対応させてセットされている、モニタ画面に対応する所定の値を、ＰｉｎＰ画面に対応する所定の値に変更する。次に、第１ＶＴＲ３０６（ＶＴＲ１）の機器アドレスに対応させてセットされている、ＰｉｎＰ画面に対応する所定おの値を、モニタ画面に対応する所定の値に書き換える。
【０１６６】
ＡＶ信号接続情報テーブルにセットされた情報は、上述したように、所定の周期で割り込みにより起動される、表示データ転送処理モジュール２８２により、３線バス３０４、ＩＦマイコン２２２のＡＶシステム用ＯＳＤ表示部２５１を介して、表示ドライバ２６１に供給される。表示ドライバ２６１は、供給されたこの情報に基づいて、モニタ画面を示す図形とＰｉｎＰ画面を示す図形をＣＲＴ２２４の画面の所定の位置に表示させ、ＡＶセンタ３０１が内蔵するＶ．ＴＵＮＥＲまたはＢＳ−ＴＵＮＥＲからの信号が、ＰｉｎＰ画面に供給される様子を示す図形と、第１ＶＴＲ（ＶＴＲ１）３０６からの信号がモニタ画面に供給される様子を示す画像を表示させる。
【０１６７】
その結果、図４２に示すように、ＡＶセンタ３０１が内蔵するＶ．ＴＵＮＥＲまたはＢＳ−ＴＵＮＥＲがＰｉｎＰ画面に接続され、第１ＶＴＲ（ＶＴＲ１）３０６がモニタ画面に接続されたシステム接続構成図が、ＣＲＴ２２４に表示されるとともに、ＡＶセンタ３０１が内蔵するＶ．ＴＵＮＥＲまたはＢＳ−ＴＵＮＥＲより出力された映像信号がＰｉｎＰ画面に表示され、第１ＶＴＲ（ＶＴＲ１）３０６より出力された映像信号が、モニタ画面に表示されることになる。
【０１６８】
これにより、使用者は、モニタ画面に表示されている映像の信号ソース、およびＰｉｎＰ画面に表示されている映像の信号ソースを容易に認識することができる。
【０１６９】
次に、ＡＶセンタ３０１を経由しない、直接接続された機器同士で、ダビングを行う場合について説明する。例えば、第１ＶＴＲ３０６（ＶＴＲ１）からの再生画像が、第２ＶＴＲ３０４（ＶＴＲ２）により録画される場合、図４０および図４２に示された録画機器側の「ＶＴＲ１」と、「ＶＴＲ２」を、例えばフラッシングさせるなどして強調し、ソース機器側に表示された「ＶＴＲ１」と「ＶＴＲ２」を灰色で表示する。ここでは、灰色で表示することにより、凍結（ソース機器として選択できないこと）を意味するようにする。
【０１７０】
従って、第１ＶＴＲ（「ＶＴＲ１」）３０６および第２ＶＴＲ（「ＶＴＲ２」）３０４がダビング中である間、Ｖ．ＴＵＮＥＲ（「Ｖ．ＴＵＮＥＲ」）３０５とＡＶセンタ３０１との接続ができないため、ソース機器側のＶ．ＴＵＮＥＲ（「Ｖ．ＴＵＮＥＲ」）３０５からのＡＶ信号は、モニタ画面またはＰｉｎＰ画面に表示することができないことを容易に認識することができる。
【０１７１】
同様に、第１ＶＴＲ（「ＶＴＲ１」）３０６および第２ＶＴＲ（「ＶＴＲ２」）３０４がダビング中である間、第３ＶＴＲ３０７とＡＶセンタ３０１との接続ができないため、ソース機器側の第３ＶＴＲ３０７（ＶＴＲ３）からのＡＶ信号は、モニタ画面またはＰｉｎＰ画面に表示することができないことを容易に認識することができる。
【０１７２】
このように、ＡＶセンタ３０１を経由しない処理、例えば機器同士のダビング処理を行っている場合、機器間の接続経路が、ＡＶセンタ３０１を経由しないように、システムの接続構成図を表示することが可能となる。従って、使用者に、各機器間の接続経路およびその動作を容易に理解させることが可能となる。
【０１７３】
なお、ＡＶシステムを構成する機器間でダビングを行う場合、ソース機器側の所定の機器と、録画機器側の所定の機器とを、ＡＶセンタ３０１の内部を経由していないことを示す点線で結び、その２つの電子機器間の信号経路を表示するようにすることもできる。
【０１７７】
【発明の効果】
本発明の表示制御装置によれば、複数の電子機器の個別的接続からなる電子機器の複数個の所定の接続状態の中から選択された電子機器の接続状態、および、選択された電子機器の接続状態を構成する電子機器の個別的接続が、実際に用いられる電子機器の接続状態の補正に応じて少なくとも１つ選択または除外されて構成される電子機器の接続状態が第１の記憶手段に記憶され、第１の記憶手段に記憶されている電子機器の接続状態に対応して、第２の記憶手段に記憶されている画像を指定する表示情報を発生させるようにしたので、設計変更をした場合においても、変更を要する箇所が少なくて済み、コストを低減することが可能となる。
【図面の簡単な説明】
【図１】本発明の表示制御装置を応用したビデオシステムの一実施例の構成を示すブロック図である。
【図２】図１の実施例のＣＲＴ１０の画面を説明する図である。
【図３】本発明の電子機器制御装置を応用したＡＶシステムの一実施例の構成を示すブロック図である。
【図４】図３の実施例の動作を説明するフローチャートである。
【図５】図４のステップＳ３の表示例を示す図である。
【図６】図３の実施例の個別操作が行なわれた場合における処理を説明するフローチャートである。
【図７】本発明の電子機器制御装置を応用したＡＶシステムの別の実施例の構成を示すブロック図である。
【図８】図７の実施例の接続設定動作の例を示すフローチャートである。
【図９】図８の動作の各時点におけるＣＲＴの表示例を示す図である。
【図１０】図７の実施例の入力操作に対する表示動作および接続設定動作の例を示すフローチャートである。
【図１１】図１０の動作におけるＣＲＴの表示例を示す図である。
【図１２】図７の実施例における他の機器の動作状態の表示動作を示すフローチャートである。
【図１３】図１２の動作における表示例を示す図である。
【図１４】本発明の表示制御装置を適用したビデオシステムの別の実施例の構成を示すブロック図である。
【図１５】図１４のフォントテーブルＦＴ１の一構成例を示す図である。
【図１６】図１４のフォントテーブルＦＴ２の一構成例を示す図である。
【図１７】図１４のフォントテーブルＦＴ３の一構成例を示す図である。
【図１８】図１４の文字列テーブルＣＴの一構成例を示す図である。
【図１９】図１４の実施例において文字列を表示するためにＤ２Ｂバス１２１中を伝送されるデータのフォーマットの一例を示す図である。
【図２０】図１４の実施例の一動作例を示すフローチャートである。
【図２１】本発明の表示制御装置の他の実施例の構成を示すブロック図である。
【図２２】ＡＶシステムの全体構成を説明する図である。
【図２３】ＡＶシステムの全体構成の接続状態を表すテーブルを説明する図である。
【図２４】ＡＶシステムの全体構成を表す電子機器のテーブルを示す図である。
【図２５】システムの接続状態を表示する手順を示す図である。
【図２６】ＡＶシステムの全体構成を表示させる場合のデータを説明する図である。
【図２７】マクロ番号に対応する電子機器の名称の登録の原理を説明する図である。
【図２８】ＡＶシステムの全体の構成の表示例を説明する図である。
【図２９】ＡＶシステムの表示例を説明する図である。
【図３０】ＡＶシステムの他の表示例を説明する図である。
【図３１】ＮＥＷＤ２Ｂ制御マイコンとＩＦマイコンとの関係を説明する図である。
【図３２】設計変更の例を説明する図である。
【図３３】ＡＶアンプをＡＶセンタとした場合の接続状態を説明する図である。
【図３４】ＡＶシステムの構成の縦型表示の一実施例を示す図である。
【図３５】ＡＶシステムの構成の横型表示の一実施例を示す図である。
【図３６】ＡＶシステムの全体構成の接続状態を表すテーブルを示す図である。
【図３７】ＡＶシステムの横型表示のマクロデータを説明するための図である。
【図３８】ＡＶシステムの機器選択画面の一実施例を示す図である。
【図３９】ＡＶシステムの機器選択画面の他の実施例を示す図である。
【図４０】ＡＶシステムの接続構成の横型表示の他の実施例を示す図である。
【図４１】ＡＶ信号接続情報テーブルを示す図である。
【図４２】ＡＶシステムの接続構成の横型表示のさらに他の実施例を示す図である。
【図４３】従来のビデオシステムの画面の一例の構成を示す図である。
【図４４】従来のＡＶシステムにおいて文字列を表示するためのデータのフォーマットの一例を示す図である。
【符号の説明】
１  テレビジョン受像機（ＡＶセンタ）
２  リモコン
３  受光部
４  操作部
５  ＣＰＵ
６  ボリューム
７  チューナ
７Ａ  ＢＳチューナ
７Ｂ  地上波チューナ
８  切換部
９  制御部
１０  ＣＲＴ
１１  メッセージ表示回路
１１Ａ  ＰｉｎＰ回路
１１Ｂ  状態図表示回路
１２，１３  ビデオテープレコーダ（ＶＴＲ）
１４  レーザディスクプレーヤ（ＬＤＰ）
２１  画面
２２乃至２５  メッセージ表示領域
３１  画面
３２  メッセージ表示領域
１０１  ＡＶセンタ
１０２  リモートコントローラ
１０３  ＶＴＲ
１０４  ＬＤＰ
１１２  ＣＰＵ
１１４  ＲＡＭ
１１６  選択部
１１７  ＣＲＴ
１２１  バス
１３１乃至１３３  表示部
２１１  テレビジョン受像機
２１２  ＶＴＲ
２１３  ＬＤＰ
２１４  ＡＶアンプ
２２１  ＴＶ制御マイコン
２２２  ＩＦマイコン
２２３  ＮＥＷＤ２Ｂ制御マイコン
２４２  ＲＯＭ
２５１  ＡＶシステム用ＯＳＤ表示部
２５２  Ｉ２ＣバスＩＦ通信制御部
２６１  表示ドライバ
２７１  ＣＰＵ
２７２  ＲＯＭ
２７４  ＮＶＲＡＭ
２８１  システム制御処理モジュール
２８２  表示データ転送処理モジュール
２９０  ＮＥＷＤ２Ｂバス
３０１  ＡＶセンタ
３０２  ＶＴＲ４（第４ＶＴＲ）
３０３  ＭＤＰ
３０４  ＶＴＲ２（第２ＶＴＲ）
３０５  ビデオチューナ
３０６  ＶＴＲ１（第１ＶＴＲ）
３０７  ＶＴＲ３（第３ＶＴＲ）
ＣＴ  文字列テーブル
【図１】
0003723964.tif 000002
【図２】
0003723964.tif 000003
【図３】
0003723964.tif 000004
【図４】
0003723964.tif 000005
【図５】
0003723964.tif 000006
【図６】
0003723964.tif 000007
【図７】
0003723964.tif 000008
【図８】
0003723964.tif 000009
【図９】
0003723964.tif 000010
【図１０】
0003723964.tif 000011
【図１１】
0003723964.tif 000012
【図１２】
0003723964.tif 000013
【図１３】
0003723964.tif 000014
【図１４】
0003723964.tif 000015
【図１５】
0003723964.tif 000016
【図１６】
0003723964.tif 000017
【図１７】
0003723964.tif 000018
【図１８】
0003723964.tif 000019
【図１９】
0003723964.tif 000020
【図２０】
0003723964.tif 000021
【図２１】
0003723964.tif 000022
【図２２】
0003723964.tif 000023
【図２３】
0003723964.tif 000024
【図２４】
0003723964.tif 000025
【図２５】
0003723964.tif 000026
【図２６】
0003723964.tif 000027
【図２７】
0003723964.tif 000028
【図２８】
0003723964.tif 000029
【図２９】
0003723964.tif 000030
【図３０】
0003723964.tif 000031
【図３１】
0003723964.tif 000032
【図３２】
0003723964.tif 000033
【図３３】
0003723964.tif 000034
【図３４】
0003723964.tif 000035
【図３５】
0003723964.tif 000036
【図３６】
0003723964.tif 000037
【図３７】
0003723964.tif 000038
【図３８】
0003723964.tif 000039
【図３９】
0003723964.tif 000040
【図４０】
0003723964.tif 000041
【図４１】
0003723964.tif 000042
【図４２】
0003723964.tif 000043
【図４３】
0003723964.tif 000044
【図４４】
0003723964.tif 000045